(57)【要約】  【課題】  扁平状であり、操作レバーの取り外しが容易であり、外観に螺子頭が表れず意匠性に優れるプッシュプル式レバー体構造物を提供すること。  【解決手段】  反転可能なラッチ係合片を備えるラッチ錠本体部を両側から挟持する一対のプッシュプル式レバー体の構造１０であって、操作レバー２の操作に連動してラッチ係合片６２を反転可能又は反転不能に操作する揺動操作部材４と中カバー３を収容するくり抜き部５を備える扁平状本体部１と、揺動操作部材４に螺子止めされる扁平状の操作レバー２と、を有し、中カバー３、中カバー３の上方に位置する操作レバー２との間に手指を差し入れる空間３４を形成する凹み状であり、組み付け状態において、扁平状本体部１の表面１１と操作レバー２の表面２１は実質的に段差のない同一の外観表面を形成する。【選択図】        図２
2006257651.tif 000002
【特許請求の範囲】
【請求項１】
反転可能なラッチ係合片を備えるラッチ錠本体部を両側から挟持する一対のプッシュプル式レバー体の構造であって、
操作レバーの操作に連動してラッチ係合片を反転可能又は反転不能に操作する揺動操作部材と中カバーを収容するくり抜き部を備える扁平状本体部と、
該揺動操作部材に螺子止めされる扁平状の操作レバーと、を有し、
該中カバーは、該中カバーの上方に位置する操作レバーとの間に手指を差し入れる空間を形成する凹み状であり、組み付け状態において、該扁平状本体部の表面と該操作レバーの表面は実質的に段差のない同一の外観表面を形成し、
該一対の扁平状本体部は、該くり抜き部に形成された２つの螺子穴にそれぞれ本体螺子を通して互いに固定されるものであり、該中カバーは、該くり抜き部の所定位置に該１つの本体螺子を目隠するように中カバー螺子で螺子止めされ、該操作レバーは、該くり抜き部の所定位置に該他の１つの本体螺子及び該中カバー螺子を共に目隠しするように螺子止めされることを特徴とする扁平状プッシュプル式レバー体構造物。
【請求項２】
前記扁平状本体部及び前記操作レバーのいずれの表面にも、止め螺子頭が表れないことを特徴とする請求項１記載の扁平状プッシュプル式レバー体構造物。
【請求項３】
前記操作レバーは、該揺動操作部材の揺動軸を中心に回動し、プッシュ操作により該くり抜き部の内側に押しやられ、プル操作により外側に引っ張られることを特徴とする請求項１又は２記載の扁平状プッシュプル式レバー体構造物。
【請求項４】
前記操作レバーは、他の部材を取り外すことなく、組み込まれた状態から、１本の螺子の着脱により脱着可能であることを特徴とする請求項１〜３のいずれか１項に記載の扁平状プッシュプル式レバー体構造物。
【請求項５】
ドア面からの突出高さが２０ｍｍ以下であることを特徴とする請求項１〜４のいずれか１項に記載の扁平状プッシュプル式レバー体構造物。
【発明の詳細な説明】
【技術分野】
【０００１】
本発明は、反転可能なラッチ係合片を備えるラッチ錠本体部を両側から挟持する一対のプッシュプル式レバー体構造物に関するものである。
【背景技術】
【０００２】
従来から、ノブやレバーを回動することによりラッチをケーシング内に没入させて開錠するレバーハンドル型の扉用ラッチ錠、またはレバーを押したり引いたりすることによりラッチをケーシング内に没入させて開錠するプッシュプル型の扉用ラッチ錠が知られている。
【０００３】
プッシュプル型の扉用ラッチ錠としては、例えば実開平６−１２６７５号公報、特開２００２−１２９７９６号公報、特開平１１−５０７０７号公報に開示されたものがある。これらのプッシュプル型の扉用ラッチ錠は、いずれも、ドア面に前後に回動自在に軸支された一対のハンドルを有するものであるか、あるいは反転可能なラッチ係合片を備えるラッチ錠本体部を両側から挟持する一対のプッシュプル式レバー体構造物が扁平状であるものである。
【特許文献１】実開平６−１２６７５号公報
【特許文献２】特開２００２−１２９７９６号公報
【特許文献３】特開平１１−５０７０７号公報
【発明の開示】
【発明が解決しようとする課題】
【０００４】
しかしながら、特開２００２−１２９７９６号公報及び特開平１１−５０７０７号公報に開示されたドア面に前後に回動自在に軸支された一対のハンドルを有するものは、ドア面からハンドルが突出しているため、操作が容易ではあるものの、怪我の危険性を内在しており、また外観の意匠性に乏しいという問題がある。また、実開平６−１２６７５号に開示された反転可能なラッチ係合片を備えるラッチ錠本体部を両側から挟持する一対のプッシュプル式レバー体構造物の場合、扁平状であり、組み付け状態においてハンドルが外側に突出しておらず、怪我等の心配はないものの、ラッチ錠本体部を固定する螺子頭が外観に表れており、意匠性に乏しく、また、ハンドルの取り外しが容易ではなく、他の操作ハンドルの交換は簡単にはできないという問題がある。
【０００５】
従って、本発明の目的は、扉からの突出高さが少ない扁平状であり、操作レバーの取り外しが容易であり、外観に螺子頭が表れず意匠性に優れるプッシュプル式レバー体構造物を提供することにある。
【課題を解決するための手段】
【０００６】
かかる実情において、本発明者は鋭意検討を行った結果、本発明を完成するに至った。すなわち、本発明は、反転可能なラッチ係合片を備えるラッチ錠本体部を両側から挟持する一対のプッシュプル式レバー体の構造であって、操作レバーの操作に連動してラッチ係合片を反転可能又は反転不能に操作する揺動操作部材と中カバーを収容するくり抜き部を備える扁平状本体部と、該揺動操作部材に螺子止めされる扁平状の操作レバーと、を有し、該中カバーは、該中カバーの上方に位置する操作レバーとの間に手指を差し入れる空間を形成する凹み状であり、組み付け状態において、該扁平状本体部の表面と該操作レバーの表面は実質的に段差のない同一の外観表面を形成し、該一対の扁平状本体部は、該くり抜き部に形成された２つの螺子穴にそれぞれ本体螺子を通して互いに固定されるものであり、該中カバーは、該くり抜き部の所定位置に該１つの本体螺子を目隠するように中カバー螺子で螺子止めされ、該操作レバーは、該くり抜き部の所定位置に該他の１つの本体螺子及び該中カバー螺子を共に目隠しするように螺子止めされることを特徴とする扁平状プッシュプル式レバー体構造物を提供するものである。
【０００７】
また、本発明は、前記扁平状本体部及び前記操作レバーのいずれの表面にも、止め螺子頭が表れない前記扁平状プッシュプル式レバー体構造物を提供するものである。
【０００８】
また、本発明は、前記操作レバーは、該揺動操作部材の揺動軸を中心に回動し、プッシュ操作により該くり抜き部の内側に押しやられ、プル操作により外側に引っ張られる前記扁平状プッシュプル式レバー体構造物を提供するものである。
【０００９】
また、本発明は、前記操作レバーは、他の部材を取り外すことなく、組み込まれた状態から、１本の螺子の着脱により脱着可能である前記扁平状プッシュプル式レバー体構造物を提供するものである。
【００１０】
また、本発明は、ドア面からの突出高さが２０ｍｍ以下である前記扁平状プッシュプル式レバー体構造物を提供するものである。
【発明を実施するための最良の形態】
【００１１】
次に、本発明の実施の形態における扁平状プッシュプル式レバー体構造物（以下、単に「レバー体構造物」とも言う。）を図１〜図８を参照して説明する。図１は本例のレバー体構造物の分解斜視図、図２及び図３は本例のレバー体構造物とラッチ錠本体部の位置関係を説明する図、図４は本例のレバー体構造物をラッチ錠本体部と共にドアに設置した状態図、図５は本例のプッシュ状態にあるレバー体構造物を示す図、図６は本例のプル状態にあるレバー体構造物を示す図、図７は本例のレバー体構造物の横断面図、図８は本例のレバー体構造物の正面図をそれぞれ示す。図１、７及び８は図の説明を容易にするためラッチ錠本体部の記載は省略した。なお、本明細書において、前後方向とはラッチが出没するドアの側部に正対した状態の前後方向を言い、左右方向とはラッチが出没するドアの側部に正対した状態の左右方向を言う。
【００１２】
本例の扁平状プッシュプル式レバー体構造物１０は、ラッチ錠本体部６を両側から挟持する一対のプッシュプル式レバー体の構造であって、揺動操作部材４と中カバー３を収容するくり抜き部５を備える扁平状本体部１と、揺動操作部材４に螺子止めされる扁平状の操作レバー２と、を有し、中カバー３は、中カバー３の上方に位置する操作レバー２との間に手指を差し入れる空間３４を形成する凹み状であり、組み付け状態において、扁平状本体部１の表面１１と操作レバー２の表面２１は実質的に段差のない同一の外観表面を形成するものである。
【００１３】
扁平状プッシュプル式レバー体構造物１０が組み込まれるラッチ錠本体部６としては、反転可能なラッチ係合片を備えるものであれば、特に制限されず、例えば実開平６−１２６７５号公報記載のラッチ錠本体部が挙げられる。本例では、揺動操作部材４のフォーク部に挟持される基軸６１及び基軸６１の前後方向への移動に伴い、ラッチ係合片６２を反転可能又は反転不能にする公知のラッチ係合片作動手段（不図示）を有するものであり、外観は前面壁部６３の後方にラッチ係合片６２やラッチ係合片作動手段を収容するケーシング６４を付設したものである。
【００１４】
扁平状プッシュプル式レバー体構造物１０を構成する扁平状本体部１、揺動操作部材４、中カバー３、操作レバー２及び座板８１、８２は一対ものであり、両部材は左右対称であるため、一方の部材について説明する。扁平状本体部１は、外観が側面視（ドア面を正対して見る方向）が矩形状であり、平面視が前方端から後方端に向けてやや厚肉となった後、なだらかに下降傾斜する形状の扁平状物である。また、上下方向に３分割された中央部はくり抜き部５を形成している。
【００１５】
くり抜き部５の前方側には揺動操作部材設置穴１２が形成され、その後方側には中カバー取付基部１４とケース状部１６が形成されている。揺動操作部材設置穴１２の裏面の端面には半円断面の切り欠きが形成されており、扁平状本体部１の裏面に座板８１、８２が螺子止めされると、揺動軸４１、４１が遊嵌する軸穴が形成される。揺動操作部材設置穴１２は、揺動操作部材４が嵌め込まれると、揺動操作部材４が揺動軸４１を中心に回動できる大きさである。
【００１６】
ケース状部１６は、所定の深さを有する凹状であり、その一方の裏面にはボス１６２が形成され、他方の裏面にはボス穴（不図示）が形成され、両者の結合により一対の扁平状本体部１の位置決めがされる。ケース状部１６の凹部の後方には一方の本体螺子穴１７が形成されている。また、ケース状部１６の凹部の前部を形成する中カバー取付基部１４には、中カバー取付螺子穴１４１が形成されている。
【００１７】
くり抜き部５の最前側は、操作レバー取付基部１３が形成される。操作レバー取付基部１３は揺動操作部材設置穴１２の前端を形成すると共に、他方の本体螺子穴１３２及び左右方向に延びる半割り状の螺子挿通穴１３１を備える。また、操作レバー取付基部１３の前端の角部は面取り１３がされ、操作レバー２のプル操作が行えるようにしている。右側の扁平状本体部１において、くり抜き部５の上方にある３分割本体部の中央やや前方にはロック操作部７ｂの頭が見えるロック操作穴９が形成されている。
【００１８】
揺動操作部材４は、中央に左右方向に貫通する螺子支持部挿通穴４３を有する箱状物であり、そのラッチ錠本体部６側の下方にはラッチ錠本体部６側に向いた一対の部材で挟み状をしたフォーク部４２を有し、上下面には揺動軸４１、４１が上下方向に突設している。また、揺動操作部材４の箱状物の前壁には、螺子ｃが挿通する螺子挿通穴４４が形成されている。
【００１９】
中カバー３は、板状物を屈曲させた形状であり、板状の取付部３１と、取付部３１から奥側へ略直角に屈曲し、更に後方へ略直角に屈曲して後方へ行くに連れて徐々に奥側とは反対方向へ曲がり、手指が入り易い凹部３４を形成する形状である。取付部３１には螺子ｄが挿入される螺子挿通穴３２を有している。
【００２０】
操作レバー２は板状物がやや凸に曲がった形状であり、その裏面、中央よりやや前方には前方に向けて開口し上下方向に延びる螺子溝２３を有する箱状の螺子支持部２２が形成されている。螺子支持部２２は揺動操作部材４の螺子支持部挿通穴４３に挿入され、螺子ｃにより揺動操作部材４に固定され、これにより操作レバー２と揺動操作部材４が一体化する。そして、例えば右側の操作レバー２をプッシュ操作すれば、右側の揺動操作部材４は平面視で反時計回りに回動し、逆に右側の操作レバー２をプル操作すれば、右側の揺動操作部材４は平面視で時計回りに回動する。
【００２１】
ロック操作部７ａ、７ｂはロック棒が四角断面であって、ラッチ錠本体部６のロック手段（不図示）に係合し、９０度回転毎にロック及びアンロックの繰り返し施錠が可能となる。左側のロック操作部７ａ（部屋側）の頭形状は手指で操作しやすいように摘み部７２ａを有するものであり、右側のロック操作部７ｂ（部屋側）の頭形状は螺子頭７２ｂを有する。なお、半割りの筒状部材７１はロック操作部を上下から挟持して組み込まれ、軸受けとなるものである。右側の扁平状本体部１と左側の扁平状本体部１は、ロック操作部７ａ、７ｂが互いに異なる形状であるため、ロック操作部７ａ、７ｂを取り付ける部分が互いに異なる。すなわち、左側の扁平状本体部１のロック操作部７ａの取付部は大きな開口８を有し、右側の扁平状本体部１のロック操作部７ｂの取付部は小さな開口９を有する。なお、右側の扁平状本体部１の小さな開口９の下側にある更に小さな開口は、ロック表示部７４であり、例えばロック状態であれば、ロック操作部７ｂの鍔の赤色が表れ、アンロック状態であれば、ロック操作部７ｂの鍔の白色が表れるようになっている。
【００２２】
座板８１、８２は共に四隅に螺子穴を有する略矩形状物であり、上方座板８２は下端にやや突出する突出部８３を有し、下方座板８１は上端にやや突出する突出部８４を有する。座板８１、８２はこれを扁平状本体部１の裏面の所定位置に螺子止めすることにより、ロック操作部７ａ、７ｂの止め具となると共に、揺動軸４１が嵌る軸穴を形成する部材となる。
【００２３】
扁平状プッシュプル式レバー体構造物１０の組み付け方法の一例を次に示す。扁平状本体部１の開口８、９にロック操作部７ａ及び７ｂをそれぞれ嵌め込む。次いで、揺動操作部材設置穴１２に揺動操作部材４を嵌め込む。次いで、座板８１、８２を扁平状本体部１の裏面の所定位置に螺子止めする。これにより、ロック操作部７ａ、７ｂは扁平状本体部１の開口８、９に回動自在に固定されると共に、揺動操作部材４は揺動操作部材設置穴１２内において、回動自在となる。
【００２４】
次いで、ドアに予め設置されたラッチ錠本体部６を両側から挟持するように、一対の扁平状本体部１の裏面同士を対向させ、ボス１６２とボス穴を係合させ、ロック操作部７ａ、７ｂ及び揺動操作部材４のフォーク部４２をそれぞれラッチ錠本体部６の所定位置に挿入して扁平状本体部１の固定位置を決定する。固定位置の決定に際し、揺動操作部材４のフォーク部４２は、ラッチ錠本体部６の基軸６１を挟むようにセットされる。位置決め後、本体螺子ａ、ｂを螺子穴１３２、１７に通して一対の扁平状本体部１同士を固定する。
【００２５】
次いで、中カバー３を中カバー螺子ｄにより扁平状本体部１に固定する。これにより、後方側の本体螺子ｂの螺子頭を隠すことができる。また、中カバー３の凹部の空間３４により手指が掛かり易い状態とすることができる。次に、操作レバー２を操作レバー２の裏面にある略箱状の螺子支持部２２が揺動操作部材４の螺子支持部挿通穴４３に嵌るように取り付ける。そして、螺子挿通穴１３１、揺動操作部材４の螺子挿通穴４４及び螺子支持部２２の螺子溝２３を合致させ、螺子ｃにより固定する。これにより、操作レバー２と揺動操作部材４は一体化する。また、操作レバー２を取り付けることにより、他方の本体螺子ａと中カバー３を固定する中カバー螺子ｄの螺子頭を隠すことができる。なお、螺子ｃは図８からは外観に表れているように見えるが、螺子ｃは奥側にあるため、外観からは実質的に見えない。
【００２６】
組み付け後のレバー体構造物１０は、扁平状本体部１の表面１１と操作レバー２の表面は実質的に段差のない同一の外観表面を形成し、更に、扁平状本体部１及び操作レバー２のいずれの表面にも、止め螺子頭が表れないことから意匠性に優れたものとなる。また、操作レバー２は、最後に取り付けることができる部材であるため、取り外す際、他の部材を取り外すことなく、組み込まれた状態から、螺子ｃを取り外すだけで、他の操作レバーや新品の操作レバーと容易に交換することが可能となる。また、扁平状本体部１はその形状から、本例ではドア面からの突出高さｈ１が１６ｍｍ、摘み部７２ａを含めた高さｈ２が２０ｍｍ程度である。
【００２７】
次に、ラッチ錠本体部６を組み込んだレバー体構造物１０の使用方法について説明する。ロック操作部材７ａ、７ｂが解除された状態において、例えば室外から操作レバー２をプッシュ操作（図５）する。この場合、揺動操作部材４は揺動軸４１を中心に平面視で反時計回りに回動する。揺動操作部材４のフォーク部４２の挟まれた基軸６１は前方に移動し、ラッチ係合片６２の反転可能にする。なお、本例のラッチ錠本体部６のラッチ反転機構は、公知の機構であり、基軸６１が組み込み状態における位置でラッチ係合片６２が反転不能の状態、基軸６１が前方又は後方へ移動することで、ラッチ係合片６２が反転可能の状態となるように設定されている。ラッチ係合片６２の反転可能となるため、ドア面を押すことでドアを開くことができる。なお、室外から操作レバー２をプル操作（図６）すると、揺動操作部材４は揺動軸４１を中心に平面視で時計回りに回動し、ラッチ錠本体部６の基軸６１は後方に移動し、同様にラッチ係合片６２を反転可能とするため、ドアを開くことができる。
【００２８】
次に、レバー体構造物１０の変形例を図９及び図１０を参照して説明する。図９のレバー体構造物１０ａにおいて、図１〜図８のレバー体構造物と同一構成要素には同一符号を付してその説明を省略し、異なる点について主に説明する。すなわち、レバー体構造物１０ａにおいて、レバー体構造物１０と異なる点は、操作レバーにある。レバー体構造物１０ａの操作レバー２ａは、基部２１ａの後方側において、把持棒２３ａと手指が掛かる空間２２ａを形成させたものである。このようなレバー体構造物１０ａにおいても、レバー体構造物１０と同様の効果を奏する。
【００２９】
図１０のレバー体構造物１０ｂにおいて、図１〜図８のレバー体構造物と同一構成要素には同一符号を付してその説明を省略し、異なる点について主に説明する。すなわち、レバー体構造物１０ｂにおいて、レバー体構造物１０と異なる点は、操作レバーにある。レバー体構造物１０ｂの操作レバー２ｂは、基部２１ｂの後端に長尺の把持棒２２ｂを取り付けたものである。このようなレバー体構造物１０ｂにおいてもレバー体構造物１０と同様の効果を奏する。
【図面の簡単な説明】
【００３０】
【図１】本実施の形態例のレバー体構造物の分解斜視図である。
【図２】本実施の形態例のレバー体構造物とラッチ錠本体部の位置関係を説明する図である。
【図３】本実施の形態例のレバー体構造物とラッチ錠本体部の位置関係を説明する図である。
【図４】本実施の形態例のレバー体構造物をラッチ錠本体部と共にドアに設置した状態図である。
【図５】本実施の形態例のプッシュ状態にあるレバー体構造物を示す図である。
【図６】本実施の形態例のプル状態にあるレバー体構造物を示す図である。
【図７】本実施の形態例のレバー体構造物の横断面図である。
【図８】本実施の形態例のレバー体構造物の正面図である。
【図９】本実施の形態の変形例のレバー体構造物の一部を示す斜視図である。
【図１０】本実施の形態の変形例のレバー体構造物の一部を示す斜視図である。
【符号の説明】
【００３１】
１    扁平状本体部
２    操作レバー
３    中カバー
４    揺動操作部材
５    くり抜き部
７ａ、７ｂ    ロック操作部
１０、１０ａ、１０ｂ    レバー体構造物
１１    レバー体構造物の表面
１２    揺動操作部材設置穴
１３    操作レバー取付基部
１４    中カバー取付基部
１７、２３、３２    螺子穴
２２    螺子支持部
３１    取付部
３３    凹状本体部
４１    揺動軸
４２    フォーク部
８１、８２  座板
１３１    螺子挿通穴
１３２    螺子穴
１３３    面取り
ａ〜ｄ    螺子
【図１】
2006257651.tif 000003
【図２】
2006257651.tif 000004
【図３】
2006257651.tif 000005
【図４】
2006257651.tif 000006
【図５】
2006257651.tif 000007
【図６】
2006257651.tif 000008
【図７】
2006257651.tif 000009
【図８】
2006257651.tif 000010
【図９】
2006257651.tif 000011
【図１０】
2006257651.tif 000012